(57)【要約】方法（図１）及びシステム（図２）は、１又はそれ以上のアクション又はコンセプトを伝えるＳＭＳ予備的メッセージ３４から取り出された高度なＭＭＳメッセージ１０を合成する。ユーザ１２は、客観的に理にかなったコンテンツに従って包括的に、且つ、ユーザ本位のコンテンツに従って個人的に、意味的に注釈を付されたユーザ取得の映像クリップ２０をアーカイブ２８に保存する。サービス提供者１８は、包括的に意味的に注釈を付されたサービス提供者取得のＭＭＳクリップ２０をアーカイブ２８に保存する。注釈付記は存在論１１８に従って達成される。ユーザ１２がＭＭＳメッセージ１０を受信者１６へ送信したい場合に、予備的メッセージ３４はサービス提供者１８へ送信される。サービス提供者１８は、意味的に注釈を付されてアーカイブ２８に保存されたクリップを取り出す。クリップは、存在論１１８に従って、予備的メッセージのアクション又はコンセプトのユーザ選択の態様に整合する。ユーザが、ユーザへ渡されたクリップの最終選択をする場合に、クリップは、お互い及び予備的メッセージに結合され、受信者へ送信される。
2008523759.tif 000002
【特許請求の範囲】
【請求項１】
ＭＭＳメッセージを合成する方法であって：
視聴覚コンテンツを含む複数のクリップを生成するステップ；
前記クリップに該クリップのコンテンツに対応する意味的に基づいたタグを付加することによって前記クリップに注釈を付すステップ；
前記意味的に基づいたクリップのアーカイブを作るステップ；
アクション又はコンセプトを受信者へ伝えるために前記受信者へ送信されるよう意図された予備的メッセージをユーザから受信するステップ；
前記予備的メッセージに含まれる少なくとも前記アクション又はコンセプトに意味的に整合するタグを有するクリップを前記アーカイブから取り出すステップ；
前記取り出されたクリップを前記ユーザへ渡すステップ；
前記ユーザが前記渡されたクリップのうちの１又はそれ以上の最終選択をすることに応答して、完成したＭＭＳメッセージを生成するよう前記選択されたクリップ及び前記予備的メッセージを結合するステップ；及び
前記完成したＭＭＳメッセージを前記受信者へ送信するステップ；
を有する方法。
【請求項２】
前記予備的メッセージは言語に基づき、文字コンテンツ及び／又は音声コンテンツを含む、請求項１記載の方法。
【請求項３】
前記予備的メッセージの音声コンテンツの自動音声認識を行って、前記音声コンテンツを、対応する言語に基づく文字コンテンツへ変換するステップを更に有する、請求項２記載の方法。
【請求項４】
前記予備的メッセージは視聴覚コンテンツを含む、請求項１記載の方法。
【請求項５】
前記予備的メッセージの音声コンテンツの自動音声認識及び視覚コンテンツの自動映像解析を行って、前記音声コンテンツ及び前記視覚コンテンツの夫々を、対応する言語に基づく文字コンテンツへ変換するステップを更に有する、請求項４記載の方法。
【請求項６】
意味的整合は、また、前記ユーザ及び／又は前記受信者の名を含む、請求項１記載の方法。
【請求項７】
意味的整合は、キーワード整合又は存在論的プロトコルによって達成される、請求項６記載の方法。
【請求項８】
意味的整合は、キーワード整合又は存在論的プロトコルによって達成される、請求項１記載の方法。
【請求項９】
前記クリップは、前記ユーザ及び／又は１又は複数の第３のパーティによって生成されて、注釈を付され、
前記ユーザが注釈を付したクリップは、前記ユーザの近くのアーカイブにあり、
前記第３のパーティが注釈を付したクリップは、前記ユーザから遠いアーカイブにある、
請求項１記載の方法。
【請求項１０】
前記ユーザから遠いアーカイブの視聴覚コンテンツは、映像、広告用材料、宣伝用資料、映像又は映画の一部又は予告、音楽、インターネット又はＷＷＷから得られる材料、及び同様の材料を含む、請求項９記載の方法。
【請求項１１】
前記ユーザは、前記結合ステップの前に、夫々の渡されたクリップの一部又は全てを選択する、請求項１記載の方法。
【請求項１２】
前記結合ステップの前に、前記ユーザは、
（ｉ）意味的に整合させられるべき前記アクション又はコンセプト、又は
（ｉｉ）前記取り出しステップで使用された意味的基準、
の一方若しくは両方を特定する、あるいは加える、請求項１記載の方法。
【請求項１３】
前記ユーザは、前記最終選択をする前に、前記渡されたクリップを見直して、削除又は修正する、請求項１２記載の方法。
【請求項１４】
前記送信された完成したメッセージは、ＭＭＳケーブル装置において前記受信者によって受信される、請求項１記載の方法。
【請求項１５】
前記ＭＭＳケーブル装置は移動通信装置である、請求項１４記載の方法。
【請求項１６】
前記ＭＭＳケーブル装置はコンピュータである、請求項１４記載の方法。
【請求項１７】
前記予備的メッセージは、ＳＭＳケーブル装置、ＭＭＳケーブル装置を介して、又はボイスメールによって、前記ユーザによって送信される、請求項１記載の方法。
【請求項１８】
前記取り出されたクリップを前記ユーザへ渡した後、前記結合ステップの前に、
ユーザから命令を取得し、該命令に従って前記取り出しステップのパラメータを変更し、該変更されたパラメータに従って取り出されたそれらのクリップを前記ユーザへ渡すステップを更に有する、請求項１記載の方法。
【請求項１９】
前記取得、変更、及び譲渡ステップは、前記最終選択がなされるまで繰り返される、請求項１８記載の方法。
【請求項２０】
ＭＭＳメッセージを合成するためのシステムであって：
視聴覚コンテンツを含む複数のクリップを生成する手段；
前記クリップに該クリップのコンテンツに対応する意味的に基づいたタグを付加することによって前記クリップに注釈を付す手段；
前記意味的に基づいたクリップのアーカイブを作る手段；
アクション又はコンセプトを受信者へ伝えるためにユーザから前記受信者へ送信されるよう意図された予備的メッセージを前記ユーザから受信する手段；
前記予備的メッセージに含まれる少なくとも前記アクション又はコンセプトに意味的に整合するタグを有するクリップを前記アーカイブから取り出す手段；
前記取り出されたクリップを前記ユーザへ渡す手段；
前記ユーザが、完成したＭＭＳメッセージを生成するよう、選択されたクリップ及び前記予備的メッセージを結合するために、前記渡されたクリップのうちの１又はそれ以上を選択することに応答する手段；及び
前記完成したＭＭＳメッセージを前記受信者へ送信する手段；
を有するシステム。
【請求項２１】
前記予備的メッセージは言語に基づき、文字コンテンツ及び／又は音声コンテンツを含む、請求項２０記載のシステム。
【請求項２２】
前記音声コンテンツを対応する言語に基づく文字コンテンツへ変換するよう前記音声コンテンツの自動音声認識を行う手段を更に有する、請求項２１記載のシステム。
【請求項２３】
前記予備的メッセージは視聴覚コンテンツを含む、請求項２０記載のシステム。
【請求項２４】
前記予備的メッセージの音声コンテンツ及び視覚コンテンツの夫々を対応する言語に基づく文字コンテンツへ変換するよう前記音声コンテンツの自動音声認識及び前記視覚コンテンツの自動映像解析を行う手段を更に有する、請求項２３記載のシステム。
【請求項２５】
前記取り出す手段は、また、前記ユーザ及び／又は前記受信者の名を整合するクリップを前記アーカイブから取り出す、請求項２０記載のシステム。
【請求項２６】
前記取り出す手段は、キーワード整合又は存在論的プロトコルによって意味的整合を達成する、請求項２５記載のシステム。
【請求項２７】
前記取り出す手段は、キーワード整合又は存在論的プロトコルによって意味的整合を達成する、請求項２０記載のシステム。
【請求項２８】
前記クリップを生成して、注釈を付すために、且つ
前記ユーザの近くのアーカイブに前記ユーザが注釈を付したクリップを置き、前記ユーザから遠いアーカイブに第３のパーティが注釈を付したクリップを置くために、
前記ユーザ及び／又は１又は複数の前記第３のパーティからの入力に応答する手段を更に有する、請求項２０記載のシステム。
【請求項２９】
前記ユーザから遠いアーカイブの視聴覚コンテンツは、映像、広告用材料、宣伝用資料、映像又は映画の一部又は予告、音楽、インターネット又はＷＷＷから得られる材料、及び同様の材料を含む、請求項２８記載のシステム。
【請求項３０】
前記選択されたクリップ及び前記予備的メッセージの結合の前に、夫々の渡されたクリップの一部又は全てを選択することを前記ユーザに許可する手段を更に有する、請求項２０記載のシステム。
【請求項３１】
前記選択されたクリップ及び前記予備的メッセージの結合の前に、前記ユーザが、
（ｉ）意味的に整合させられるべき前記アクション又はコンセプト、又は
（ｉｉ）前記取り出す手段によって使用された意味的基準、
の一方若しくは両方を特定する、あるいは加えることを可能にする手段を更に有する、請求項２０記載のシステム。
【請求項３２】
最終的なクリップ選択の前に、前記渡されたクリップを見直して、削除又は修正することを前記ユーザに許可する手段を更に有する、請求項３１記載のシステム。
【請求項３３】
前記受信者が前記送信された完成したメッセージを受信するＭＭＳケーブル装置を更に有する、請求項２０記載のシステム。
【請求項３４】
前記ＭＭＳケーブル装置は移動通信装置である、請求項３３記載のシステム。
【請求項３５】
前記ＭＭＳケーブル装置はコンピュータである、請求項３３記載のシステム。
【請求項３６】
前記ユーザによって前記予備的メッセージを送信するために、ＳＭＳケーブル装置、ＭＭＳケーブル装置、又はボイスメールを更に有する、請求項２０記載のシステム。
【請求項３７】
前記ユーザが前記取り出されたクリップを渡された後、前記取り出されたクリップが前記予備的メッセージに結合される前に、前記ユーザから命令を取得し、該命令に従って前記取り出す手段のパラメータを変更し、該変更されたパラメータに従って取り出されたクリップを前記ユーザへ渡す手段を更に有する、請求項２０記載のシステム。
【請求項３８】
前記選択することに応答する手段が作動するまで、前記取得する手段並びに前記変更及び譲渡手段の動作を繰り返す手段を更に有する、請求項３７記載のシステム。
【発明の詳細な説明】
【技術分野】
【０００１】
本発明は、映像メッセージを合成する方法及びシステムに関する。更に具体的には、本発明は、ユーザによって作られた予備的メッセージと、その予備的メッセージによって伝えられるコンセプト又はアクションに整合する注釈付きの記憶された映像又は他のＭＭＳコンテンツとの結合を含む合成ＭＭＳメッセージをユーザが受信者へ送信することに関する。記憶されたコンテンツの一部は、合成を実行する第３のパーティに端を発し、一方、記憶されたコンテンツの他の部分は、ユーザに端を発する。
【背景技術】
【０００２】
映像を作成及び編集することは、技術的訓練を受けていない者にとっては困難であり、特に、携帯電話の簡単なユーザインターフェースを用いる者にとっては困難である。更に、大きな映像アーカイブから場面にアクセスし、選択し、構成することは、それらが携帯電話を用いて試みられようとなかろうと、不可能でないならば、平均的な人にとって困難な仕事である。
【０００３】
例えば携帯電話のような携帯通信装置の一般的且つ使用頻度の高い機能は、ＳＭＳ（Ｓｈｏｒｔ  Ｍｅｓｓａｇｅ  Ｓｅｒｖｉｃｅ）メッセージを作成及び送信する能力である。この大衆性及び実用性のための主な理由は、ＳＭＳが、例えばコンピュータ電子メールの作成及び送信のような、他の使いやすい標準的な（ｎａｔｕｒａｌ）機能に類似することである。
【０００４】
最近、ＭＭＳ（Ｍｕｌｔｉｍｅｄｉａ  Ｍｅｓｓａｇｅ  Ｓｅｒｖｉｃｅ）機能、即ち、映像及び音声並びに他の構成要素を含むメッセージを作成及び送信する能力を有する携帯電話をユーザへ提供する動きがある。ＭＭＳ機能を備える装置は、ユーザがその能力に熟知していることが不足しているために、また、平均的な人にとって標準的な機能とは言えないアーカイブの音声−映像材料から場面を作成、編集及び構成することに関する上記困難のために、ＳＭＳ機能を備える装置のような早期の成功を納めていない、と考えられる。
【０００５】
米国公開出願２００４／００９２２５０Ａ１は、ＭＭＳに基づくフォトアルバム出版システムを開示する。第１の人の電話番号に関連付けられたリッチメディアコンテンツが記憶される。第２の人がＭＭＳ携帯装置からＭＭＳメッセージを送信し、そのメッセージが所定のインジケータと、メッセージの宛先としての第１の人の電話番号とを含む場合に、記憶されたリッチメディアコンテンツは、第２の人の携帯ＭＭＳ装置へ送信される。
【０００６】
国際公開出願ＷＯ２００４／０１９５８３Ａ２には、感情アイコン（ｅｍｏｔｉｃｏｎｓ）を含むＳＭＳテキストメッセージをＭＭＳメッセージとしての映像コンテンツに結合する通信ネットワーク上でメッセージを送信する方法及びシステムが開示されている。このメッセージは、受信端末へ送信される。ＳＭＳメッセージの文字部分及び口話（ｏｒａｌ）部分は、合成口話コンテンツに変形される。仮想キャラクタ（アバター）及び背景は、その記憶されたギャラリーから選択され、結合され、所望のシナリオにカスタマイズされる。アバターは合成口話コンテンツを話し、アバターの語強勢及び表情は感情アイコンに関連する。アバターの会話のシナリオは、ＭＭＳメッセージとして送信される。
【０００７】
欧州特許出願ＥＰ１０７７４１４Ａ２は、指示されたテキストに関連する画像を有するデータベースから画像を取り出す方法及びシステムを開示する。日本特許英文抄録の公開２００２−００７４１５号は、映像コンテンツが取り出されることを除いて、この欧州特許出願に類似すると思われる。米国公開出願２００２／００８０１６２Ａ１は、映像から意味的に重要なイベントを自動的に抽出するための方法、特に、特徴的なスローモーション部分を通常動作部分と区別することによって、録画されたスポーツイベントのスローモーション部分のみを識別してダウンロードするための方法を開示する。米国特許６，１０８，６７４号は、識別子がテキスト部分に対応する場合に、記憶された意味的に識別された画像をメモリから取り出して表示するよう、テキストを用いることによって、選択された画像を文書テキストに組み入れる機器を開示する。対応する画像のうちの選択されたものは、テキストにペースト（ｐａｓｔｅｄ）される。国際公開出願ＷＯ９９／４５４８３は、画像及び映像検索のための意味的な視覚テンプレートを発生させる方法及びシステムを開示する。
【特許文献１】米国公開出願２００４／００９２２５０Ａ１
【特許文献２】国際公開出願ＷＯ２００４／０１９５８３Ａ２
【特許文献３】欧州特許出願ＥＰ１０７７４１４Ａ２
【特許文献４】特開２００２−００７４１５号（公報）
【特許文献５】米国公開出願２００２／００８０１６２Ａ１
【特許文献６】米国特許６，１０８，６７４号
【特許文献７】国際公開出願ＷＯ９９／４５４８３
【発明の開示】
【発明が解決しようとする課題】
【０００８】
本発明は、創作ツールとしての、例えば携帯電話のような携帯通信装置及び、例えばＰＣのような他の装置の平均的なユーザにとってより簡便なＭＭＳメッセージの作成を提供することを目的とする。
【課題を解決するための手段】
【０００９】
本発明は、３つのエンティティ、即ち、メッセージ送信者（ユーザ）、メッセージ受信者、及びサービス提供者を含む。サービス提供者は、視聴覚コンテンツを含む複数の映像クリップを生成又は取得する。前記クリップは、そのコンテンツに対応する意味的に基づいたタグを付加されることによって注釈を付され、ユーザから遠いアーカイブに記憶される。１よりも多いタグが、１つのクリップに付加されても良い。例えば、キスしている２人の人を示すクリップは、例えば「ラブ」、「キス」、「愛情」及び「ロマンス」などのタグを有しても良い。幾つかの実施例で、ユーザは、また、映像クリップを作成又は取得しても良い。これらのクリップは、同様に注釈を付され、ユーザの近くのアーカイブに又は、サービス提供者とユーザとの間の同意によって、遠くのアーカイブに記憶されうる。ユーザが作成したクリップへ付加された意味的（ｓｅｍａｎｔｉｃ）タグは、サービス提供者のクリップに付加されたタグに類似しており、通常、ユーザの経験及び知識に基づく付加的なタグを含みうる。例えば、ユーザは、ビデオカメラ又は機能的に類似する装置を用いてクリップを作成し、あるいは、ユーザと他者がキスしているところを示すクリップを友人から取得しても良い。このクリップは、キスしている２人の人を示すサービス提供者のクリップと同様にタグ（即ち、「ラブ」、「キス」などのタグ）を付され、例えば、キスが行われた場所若しくはイベント又はキスをしているカップルの名前などの付加的なタグを含む。このようにして、ユーザのクリップは、例えば「ジョン」、「メアリー」及び「卒業パーティ」などの付加的なタグを含んでも良い。
【００１０】
全ての利用可能なクリップのアーカイブは、サービス提供者のクリップ及び注釈を含む（遠くのアーカイブと同一の）第１のサブアーカイブと、ユーザのクリップ及び注釈を含む（近くのアーカイブと同一の）第２のサブアーカイブとを有する。第２のアーカイブ（近くのアーカイブ）がサービス提供者へ送信される場合に、サービス提供者は、例えば「愛情」など、ユーザによって不注意に削除された付加的な関連する一般的な（ｇｅｎｅｒａｌ）タグを付加することができる。いずれにしても、意味的に注釈を付されたクリップのアーカイブが最終的に作成される。
【００１１】
アーカイブの作成後、ユーザは、高度な（ｓｍａｒｔ）ＭＭＳメッセージを送信することを望むことがある。このイベントでは、言語に基づく予備的メッセージを、ユーザは送信し、サービス提供者は受信する。この予備的メッセージは、ここでは行為（アクション）、コンセプト、主題、状況、場所、イベント、名前、目的、又は同様の情報を意味する「アクション又はコンセプト」を説明する。ユーザは、メッセージ及びそのアクション又はコンセプトが、指名された受信者へ伝えられることを望む。サービス提供者は、アーカイブ（第１のサブアーカイブ及び第２のサブアーカイブ）から、例えば予備的メッセージで説明されるアクション又はコンセプト、送信者及び／又は受信者の名前、又はイベント若しくは特別な出来事などの予備的メッセージ内の項目に意味的に整合するタグを有するそれらのクリップを取り出す。整合は、簡単なキーワード整合によって、又は、より高度な存在論に基づく整合によって達成可能である。存在論的整合が使用される場合に、存在論はＲＤＦ（Ｒｅｓｏｕｒｃｅ  Ｄｅｓｃｒｉｐｔｉｖｅ  Ｆｒａｍｅｗｏｒｋ）存在論、ＸＭＬ（Ｅｘｔｅｎｓｉｂｌｅ  Ｍａｒｋｕｐ  Ｌａｎｇｕａｇｅ）、又は他の適切な存在論であっても良い。整合は、ユーザによる介入を伴わずに達成可能であり、あるいは、ユーザは、ＳＭＳ予備的メッセージのどの部分が、又はどのタグが、存在論的に重要であるべきかを特定することができる。
【００１２】
ユーザの予備的メッセージは、ＭＭＳメッセージに含まれるよう意図されたボイスコンテンツを含むか、あるいは、そのようなボイスコンテンツから全体に構成されることが考えられる。このボイスコンテンツは、サービス提供者への簡単なボイスメールメッセージ、又は他の音声コンテンツを含みうる。この場合に、例えばＡＳＲ（自動音声認識）のような適切な技術が、ボイス録音をＳＭＳ形式のテキストに変換するために使用されても良い。これはまた、整合過程でも使用される。予備的メッセージが視聴覚コンテンツを有する場合に、ＡＳＲ及び／又はＡＶＡ（自動映像解析）は、意味的タグの付与及び整合のためのベースを提供するために使用されても良い。
【００１３】
サービス提供者によって取り出されたクリップ、又はそのサマリー（ｓｕｍｍａｒｙ）は、ユーザへ渡される。ユーザがＭＭＳ機能を備えていない場合に、サービス提供者によって作成されたテクスチャサマリーは、ＳＭＳコンテンツとしてユーザへ渡される。ユーザがＭＭＳ機能を有する場合には、取り出されたクリップ又はそのサマリー（例えば、夫々のクリップからのキーフレーム）のいずれか一方が、ＭＭＳコンテンツとしてユーザへ渡される。この点で、ユーザは、クリップの幾つか若しくは全て又はその一部を選択し、あるいは、予備的メッセージの元の意味的なコンテンツに整合する付加的なクリップを取り出すようサービス提供者に指示し、あるいは、関連があるとみなされたその付加的な意味的タグを要求しても良い。
【００１４】
最終的に、ユーザがクリップの数及びコンテンツに満足する場合に、ユーザはそれらを識別して選択する。この選択に応答して、サービス提供者は、予備的メッセージをユーザが選択したクリップと結合して一体化し、その後、完成したＭＭＳメッセージとしての結合を指定された受信者へ送信する。
【発明を実施するための最良の形態】
【００１５】
図１及び２を参照すると、創作ツールとしての装置１２の使用を有効に可能にする、例えば、携帯電話又はＰＣのような通信装置１２の平均的ユーザにとってより簡便な方法で更にＭＭＳメッセージ１０を作成する、本発明に従う方法及びシステムが示される。
【００１６】
本発明は、３つのエンティティ、即ち、メッセージ送信者（ユーザ）１４、メッセージの受信者１６、及びサービス提供者１８を含む。サービス提供者１８は、視聴覚コンテンツを含む複数の映像クリップ２０を生成又は取得する。クリップ２０は、映像若しくは映画（又はその一部若しくは予告）、録音された音楽、ウェブから取得された又は取得可能な材料、広告用材料、宣伝用材料、又はいずれかの他の適切な材料から取り出された、あるいはそれらを含むコンテンツを有しても良い。
【００１７】
ステップ５０で、クリップ２０は、その観測される一般的なコンテンツに対応する意味的に基づいたタグ２２を付加されることにより、サービス提供者１８によって包括的に注釈を付され、次に、ステップＳ５２で、ユーザ１４から遠いアーカイブ２４に記憶される。１よりも多いタグ２２は、夫々のクリップ２０へ付加されても良い。例えば、キスしている２人の人を示すクリップ２０は、例えば「ラブ」、「キス」、「愛情」及び「ロマンス」などのタグ２２を有しても良い。
【００１８】
幾つかの実施例で、ユーザ１４は、また、映像クリップ２０を作成又は取得しても良い。これらのクリップ２０は、ステップ５４で同様に注釈を付され、ステップ５６でユーザ１４の近くのアーカイブ２６に記憶されうる。ユーザが作成したクリップ２０へユーザ１４によって付加された包括的なタグ２２は、サービス提供者のクリップ２０に付加されたタグに類似すべきであり、また、それらに関するユーザの個人的経験及び知識に基づく付加的なタグ２２を含みうる。
【００１９】
例えば、ユーザ１４は、ビデオカメラ又は機能的に類似する装置を用いてクリップ２０を作成し、あるいは、ユーザ１４と他者がキスしているところを示すクリップ２０を他者から取得しても良い。このような個人的なコンテンツのクリップ２０は、類似する客観的に決定可能なコンテンツを有するサービス提供者のクリップ２０と同様に包括的にタグを付されても良い（あるいは、以下で説明されるように、サービス提供者１８によって後に包括的にタグを付されても良い。）。例えば、キスしている２人の人を示す、ユーザが生成して、ユーザがタグを付したクリップ２０は、通常、「ラブ」、「キス」、「愛情」、「ロマンス」などの包括的なタグ２２を有するべきであり、例えば、キスが行われた場所若しくはイベント又はキスをしているカップルの名前などの付加的な個人的な又はユーザ固有のタグ２２を含みうる。これらのタグ２２は、例えば「ジョン」、「メアリー」及び「卒業パーティ」など、クリップ２０の個人的なアクション又はコンセプトに関連する情報を含みうる。このようにして、サービス提供者のタグ２２は、サービス提供者によってアーカイブに記憶されたユーザクリップ２０の包括的なコンテンツに関連し、ユーザのタグ２２は、この同じ包括的なコンテンツと、ユーザ１４の個人的な知識の範囲内にある明示的又は潜在的な個人的なコンテンツとに関する。
【００２０】
このようにして、ステップ５８で、近くのアーカイブ２６及び遠くのアーカイブを同時に見ることによって、全ての利用可能な意味的にタグを付されたクリップ２０を含むアーカイブ２８が作られる。アーカイブ２８は、最初に、実際には、分散型であり（２つの異なった物理的な位置を有し）、近くのアーカイブ２６は、サービス提供者１８へ送信されるまではユーザ１４に残され、遠くのアーカイブ２４は、サービス提供者１８に配置されている。アーカイブ２８は、また、非分散型であっても良く、望ましくは、サービス提供者１８とともに配置される。ユーザ１４及びサービス提供者１８は、ＭＭＳメッセージ１０を作成するためのサービス提供者へのユーザ要求の前に、又はそれと同時に、どのユーザ１４が近くのアーカイブ２６のコンテンツ（ユーザが注釈を付したクリップ）をサービス提供者１８へ送信することを許可されたかに従って同意に達することができる。これらの後のイベントで、サービス提供者１８は、ステップ６０で、付加的な又は訂正済みの一般的なタグ２２を、ユーザがタグを付したクリップ２０へ付加する。従って、類似するアクション及びコンセプトを伝える両方のパーティのクリップ２０における包括的なタグ２２は、同じとなりうる。
【００２１】
留意すべきは、図１で前に示されたステップは、時系列では説明されない点である。ステップ５０で、サービス提供者１８は、ユーザがＭＭＳメッセージ１０を合成するようサービス提供者１８に要求するよりずっと前から、遠くのアーカイブ２４を作成していても良い。費用に関する又は他の理由のために、サービス提供者１８は、また、ユーザのＭＭＳ合成要求を受信した後にのみ、遠くのアーカイブ２４を作成しても良い。既に述べられたように、ユーザのクリップ２０は、ＭＭＳメッセージ１０を合成するための要求の前又は、それと同時に、サービス提供者１８へ送信されても良い。上記は、また、クリップ２０がステップ５０、５４で注釈を付される時間、近く／遠くにあるアーカイブ２６／２４がステップ５６／５２で作成される時間、アーカイブ２８（分散型又は非分散型）がステップ５８で作成される時間、及び、サービス提供者１８がステップ６０でユーザが注釈を付したクリップ上のタグを修正する時間が、可変であって、必ずしもいずれかの特定の系列にあるわけではないことを意味する。
【００２２】
ユーザ１４が高度な（ｓｍａｒｔ）ＭＭＳメッセージ１０を送信することを決定する場合に、ステップ６２で、言語に基づく予備的メッセージ３４を、ユーザは送信し、サービス提供者は受信する。この予備的メッセージは、ここでは行為（アクション）、コンセプト、主題、状況、場所、イベント、名前、目的、又は同様の情報を意味する「アクション又はコンセプト」を説明する。これ（ステップ６２）は、予備的メッセージ３４及び付加的且つ装飾された材料が受信者１６へ送信されるよう要求するサービス提供者１８へのユーザ要求を構成する。サービス提供者１８は、ステップ６４で、アーカイブ２８から、予備的メッセージ３４のアクション又はコンセプト、送信者（ユーザ）及び／又は受信者の名前、又は、例えばイベント、特別な出来事、若しくはユーザと受信者との間の関係など、有意性を有するとユーザによって示されたいずれかの他の情報に意味的に整合するタグ２２を有するそれらのクリップ２０を取り出す。望ましくは、整合は、存在論、即ち、例えばＲＤＦ（Ｒｅｓｏｕｒｃｅ  Ｄｅｓｃｒｉｐｔｉｖｅ  Ｆｒａｍｅｗｏｒｋ）存在論、ＸＭＬ（Ｅｘｔｅｎｓｉｂｌｅ  Ｍａｒｋｕｐ  Ｌａｎｇｕａｇｅ）、又は他の適切な存在論などの概念化の特定によって達成される。キーワード整合が、また、使用されても良く、例えば、整合は、単純に、クリップ２０のタグ２２と、予備的メッセージ３４に含まれる名詞及び動詞との間で達成可能である。整合は、ユーザ１４による介入を伴わずに達成可能であり、あるいは、ユーザ１４は、予備的メッセージ３４のどの部分が、又はどのタグが、存在論的に重要であるべきかを特定することができる。
【００２３】
ユーザの予備的メッセージ３４は、ＭＭＳメッセージ１０に含まれるよう意図された録音されたボイスコンテンツを含んでも良いことが考えられる。この場合に、例えばＡＳＲ（自動音声認識）のような適切な技術が、ボイス録音をテキストに変換するために使用されても良い。このテキストは、次に、そのアクション又はコンテンツに従ってタグを付され、また、整合過程でも使用される。
【００２４】
ステップ６６で、サービス提供者１８によって取り出されたクリップ２０、又はその一部若しくはサマリー（ｓｕｍｍａｒｙ）は、ユーザ１４へ渡される。ユーザ１４がＭＭＳ機能を備えていない場合には、サービス提供者１８によって作成されたテクスチャサマリーがユーザへ渡される。ユーザ１４がＭＭＳ機能を有する場合には、クリップ２０自体又はそのサマリー（例えば、選択フレーム）がユーザ１４へ渡される。この点で、ステップ６８で、ユーザ１４は、クリップ２０の幾つか若しくは全て又はその一部を選択し、あるいは、予備的メッセージ３４の元の意味的なコンテンツに整合する付加的なクリップ２０、又は付加的な意味的整合を取り出すようサービス提供者に指示しても良い。ステップ６６及び６８は、ユーザ１４が、サービス提供者が取り出した材料に満足するまで繰り返される。
【００２５】
最終的に、ユーザ１４が、渡されたクリップ２０の数及びコンテンツに満足する場合に、ユーザ１４は、ステップ７０で、それらをサービス提供者１８と同一視し、それによってそれらを選択する。ユーザの選択に応答して、ステップ７２で、サービス提供者１８は、予備的メッセージ３４をユーザが選択したクリップ２０と結合して一体化し、その後、ステップ７４で、完成したＭＭＳメッセージ１０としての結合を、指定された受信者１６によって操作されるＭＭＳ装置３６へ送信する。
【００２６】
１つの例で、ジョンと名付けられたユーザ１４は、メアリーと名付けられた受信者１６へ、語「Ｉ  ｌｏｖｅ  ｙｏｕ」を含むバレンタインカード（ＭＭＳメッセージ１０）を送信することを望み、この情報を予備的メッセージ３４を介してサービス提供者１８へ転送する。アーカイブ２８は、レット＝バトラーがスカーレット＝オハラにキスする「風とともに去りぬ」からのセグメントを含め、２人の役者がキスしている映画セグメントの幾つかのクリップ２０を有する。これらのクリップ２０は、全て、「キス」、「ラブ」及び「ロマンス」並びに同様のコンテクストをタグとして付される。アーカイブ２８は、また、同様の包括的なタグ２２（「キス」、「ラブ」等。）並びに「ジョン」及び「メアリー」のタグ２２を含む、ジョンがメアリーにキスしている幾つかのクリップ２０を有しても良い。また、アーカイブ２８には、歌「Ｉ  Ｌｏｖｅ  Ｙｏｕ  Ｔｒｕｔｈｌｙ」を含め、「ラブ」及び「ロマンス」によりタグを付されたロマンティックな歌が記憶されている。
【００２７】
アーカイブ２８におけるクリップ２０のタグ２２に対する予備的メッセージ３４のアクション又はコンセプトの意味的整合（又は、予備的メッセージ３４のアクション又はコンセプトに対するクリップ２０のタグ２２の意味的整合）は、ジョンとメアリーがキスしている写真、レットとスカーレットがキスしている写真、及び録音された歌「Ｉ  Ｌｏｖｅ  Ｙｏｕ  Ｔｒｕｌｙ」を含め、複数の項目のアーカイブ２８からの取り出しをもたらしうる。取り出された項目又は（ユーザ１４がＳＭＳ装置を用いているならば）そのサマリーは、ユーザ１４へ渡される。ユーザ１４がジョン／メアリー及びレット／スカーレットのクリップ２０を選択して、サービス提供者１８へ確認するとともに、レット／スカーレットのクリップが最初に示され、次に、ジョン／メアリーのクリップがフェードインすると、最初のクリップがフェードアウトするよう要求し、また、それらのクリップが表示されるのに要する時間は約１分である、と仮定する。ユーザ１４は、また、歌の最初の１分が同時に再生されるよう要求する。従って、サービス提供者１８は、これらのもの（ｄｅｓｉｄｅｒａｔａ）を予備的メッセージ３４から文字「Ｉ  ｌｏｖｅ  ｙｏｕ」に結合して、完成した高度なＭＭＳメッセージ１０を生成する。
【００２８】
完成したＭＭＳメッセージ１０の合成は、サービス提供者１８への予備的メッセージ３４の送信以外に、ユーザ１４からの入力をほとんど又は全く伴わずに、完全に自動であっても良い。しかし、望ましくは、当該方法は、程度の差はあっても相互作用的である。特に、予備的メッセージ３４の送信及び、場合により、アーカイブ２８に対する幾つかの個人的なクリップ２０の提供に加えて、ユーザは、以下の作業のうちの１又はそれ以上に従事することによって、当該方法の様々な態様を特定、変更又は限定することができる：
（１）予備的メッセージ３４とアーカイブに記憶されたクリップ２０の意味的タグ２２との間の起こり得る許容可能な整合として、サービス提供者１８によって与えられる複数のクリップ２０のうちの１又はそれ以上を選択すること（ステップ６８）；
（２）アーカイブ２８からの意味的に整合する音楽トラック又は他の音声コンテンツの付加と、音声コンテンツが完成したメッセージ１０の視覚コンテンツに合成されるべきであるかどうか、及び、どのように合成されるべきであるかとを要求すること；
（３）予備的メッセージ３４のある態様（アクション又はコンセプト）のみにタグ２２の意味的整合を限定すること、あるいは、アーカイブ２８内でタグを付されたクリップ２０に対する可能な整合として、予備的メッセージ３４から当然に存在論的に包括的に取り出し可能なアクション又はコンセプトに加えて、意味的なアクション又はコンセプトを特定すること；
（４）幾つかのクリップ２０の供給源又は形式（１９５０年前の映画の予告編対１９５０年以後の映画の予告編；モノクロ映画セグメント対カラーセグメント；個人的な映像のみ；非個人的な映像のみ）及び、サービス提供者１８によって組み込まれるべき音楽コンテンツ（ジャズ対ロックンロール）を特定すること；
（５）サービス提供者１８によって取り出されて渡されたクリップ２０を、少なくとも特定されたコンテンツを含むクリップに限定すること、例えば、渡されたクリップ２０を、ブラッド＝ピットが女性にキスしていることを示すクリップ、又は、ユーザ１４及び受信者１６が一緒に観たことのある有名な映画からのキスシーンを示すクリップに限定すること。例えば「一緒に観た映画」のうちの選択された１つのような、ある所望のコンテンツは、第３のパーティの機関への許されたアクセスを要求することができる。
（６）意味的整合の目的のために予備的メッセージ３４のある形式のコンテンツ（アクション又はコンセプト）の意味的重要性を予め定めること。例えば、「私のベスト」、「結婚の申込み」、「親しい人へ」、「親友へ」、「おばあちゃんへの挨拶状」及び「親族へ」といったメッセージを含む形式の予備的メッセージ３４が予め決定され得る。「私のベスト」という予備的メッセージは、他者が存在しない状況で受信者１６が伝えられるクリップに、及び、同一又は類似の状況にある有名人を示すクリップにのみ意味的に整合するように、予め決定され得る。特定の状況が、通常の域を超えることがある。語「通常の域を超える」は、ユーザ１４によって意味的に重み付けられている。事前定義は、ユーザ１４が最初にアーカイブ２６のコンテンツをサービス提供者１８へ送信する場合に、あるいは、完成したメッセージ１０の形成の前の他のいずれかの時点に、起こり得る。予備的メッセージは、取り出されたクリップ２０が、一般的にユーザ１４及び受信者１６に伝えるか、あるいは、以前の同様の行事でユーザ１４及び受信者１６に同時に伝えることを要求することによって、意味的に重要である誕生日、バレンタインデー、記念日、又は他の重要な行事を祝うために親友又は親族に向けられる。更に、ユーザ１４は、映画又は映像の中で役者による同様の重要な行事への参加を示すアーカイブ２４から、意味的重要性を有するクリップ２０を有すると指定される；
（７）第２のサブアーカイブ２６からの個人的なクリップ２０が、第１のサブアーカイブ２４からのクリップ２０及び／又は付加された音楽又は他の音響材料に結合される方法を特定すること。これらの仕様の範囲の中には、フェードイン／フェードアウト、セグメントインターレース走査、音楽の種類及びテンポ、プレゼンテーションの順序、完成したメッセージ３４及びその個々の部分の長さ、他の視聴覚混合性能などがある。
【００２９】
上記作業（２）〜（７）、及び、あるコンテンツがＭＭＳメッセージ１０に含まれる（あるいは、含まれない）ことをユーザが特定するための他の作業は、ステップ７２から７４の前の如何なる時点で起こっても良い。結果として、作業（２）〜（７）及び更なる作業は、集合的に、しかし単に一般的に、ステップ７６で示される。特に、ステップ６２〜７０が第１の時間シーケンスを構成し、ステップ７２、７４が第２の時間シーケンスを表す一方で、ステップ７６は、ステップ６２〜７０の間であって、ステップ７２、７４の前の如何なる時点でも起こり得る。
【００３０】
上述されたように、サービス提供者１８は、その後に意味的にタグを付されたダウンロードされたウェブコンテンツを、遠くのアーカイブ２４へ加えることができる。ウェブコンテンツは、また、第１のサブアーカイブ２４へ加えられ、更に、予備的メッセージ３４の受信後、ユーザ１４へ渡された整合するクリップの提示及び見直しの前又は後で意味的にタグを付された材料を含みうる。更に、サービス提供者１８が予備的メッセージ３４の音声部分へＡＳＲを適用する能力を有することに加えて、サービス提供者１８は、また、顔及び声の識別を行う能力を有することができる。顔及び声の識別は、特に、ユーザ１４個人のクリップ２０に関連し、更に、クリップ２０へ対応するタグ２２を付加して、予備的メッセージ３４にクリップ２０を意味的に整合させる目的のためにアーカイブ２４に含まれる。また、サービス提供者１８は、予備的メッセージ３４に直接には意味的に整合せず、予備的メッセージ３４に意味的に整合する他のタグ２２を有するクリップ２０のタグ２２に整合するクリップを、ユーザ１４へ渡されたクリップ２０へ加える能力を処理することができる。例えば、「ラブ」のタグ２２を有するクリップ２０が、「Ｉ  ｌｏｖｅ  ｙｏｕ」を含む予備的メッセージ３４への整合として取り出されるとする。更に、取り出されたクリップ２０が、また、クリップが、エッフェル塔の前に位置するユーザ１４及び受信者１６を示すので、「パリ」のタグ２２を含むとする。タグ「パリ」は、予備的メッセージ３４が意味的なコンテンツとして「パリ」を含まないとしても、その題名若しくは歌詞に「パリ」を含む歌又はパリの有名な場所の短時間の旅行を示すビデオクリップを、渡されたクリップ２０へ付加することをもたらす。
【００３１】
上述されたように、受信者１６は、完成した高度なＭＭＳメッセージ１０を受信するためにＭＭＳ装置へのアクセスを有する。ユーザ１４がこのようなアクセスを有することが望ましい。適切なＭＭＳ装置は、ＰＣ、ラップトップ、例えばノキア７６５０又はソニーエリクソンＴ６８ｉなどの携帯装置、及び、これらに類似する携帯型又は非携帯型のＭＭＳ装置を含む。更に、上述されたように、ユーザ１４は、ＳＭＳ装置のみへアクセスを有することがある。この場合には、ステップ６６で、取り出されたクリップのサマリーしか渡されない。
【００３２】
ここで、図２を参照すると、上述した方法を実行するための一般化されたシステム１００が示されている。図１の参照番号１０〜３４は、システム４０の様々な要素の幾つかを区別するために図２で使用される。他の要素は、図１の方法の、上記機能を実行する能力を有する列挙ステップに対応する参照番号によって区別される要素として表される。
【００３３】
ユーザ１４によって従来の機関１０１を介して取得されるクリップ２０は、経路１０６で提供される意味的タグ２２を加えるために、経路１０４に沿って注釈器１０２へ送信される（ステップ５４）。注釈を付されたクリップ２０は、経路１０８で、近くにあるアーカイブ２６に置かれる（ステップ５６）。同様に、サービス提供者１８のクリップ２０は、経路１１２で注釈器１１０へ送信されて（ステップ５０）、経路１１４でタグ２２を受信し、注釈を付されたクリップ２０は、経路１１６で、遠くにあるアーカイブ２４へ送信される（ステップ５２）。経路１２０によって表されるように、サービス提供者１８は、存在論（ｏｎｔｏｌｏｇｙ）１１８に、経路１２２に沿って注釈器１１０へガイダンスを提供させることができる。
【００３４】
近く／遠くのアーカイブ２６／２４は、アーカイブ２８を形成するよう結合され（ステップ５８）、それらのコンテンツは経路１２４及び１２６を通る。近くのアーカイブ２６のコンテンツは、最初に、経路１２８に沿ってサービス提供者の注釈器１１０へ送信されても良い。注釈器１１０では、ユーザの注釈付記が、プロトコル１１８との合致のために、更に、サービス提供によって使用されたタグに一致する包括的なタグが付加されたことを確かにするために、確認される（ステップ６０）。その後、近くのアーカイブ２６のコンテンツは、経路１１６及び１２６を介してアーカイブ２８へ送信される。
【００３５】
予備的メッセージ３４は、経路１３０に沿ってサービス提供者１８へ送信される（ステップ６２）。また、経路１３０で提供されるサービス、とりわけ、予備的メッセージ３４に添付された（又は、予備的メッセージ３４の後で送信された）いずれかのユーザ命令、渡されるクリップに関するユーザフィードバック、及び取り出されたクリップの最終的な選択が、送信される（ステップ６８、７０、７６）。
【００３６】
機関１３２は、予備的メッセージ３４のアクション又はコンセプトにクリップを存在論的に整合して、整合したクリップを取り出すために、経路１３４で存在論１１８を、及び経路１３６に沿ってアーカイブ２８内の注釈を付されたクリップを使用する（ステップ６４）。取り出されたクリップは、見直し（ｒｅｖｉｅｗ）のために経路１３８でユーザへ送信される（ステップ６６）。この最後の動作に応答して、ユーザは、クリップ選択と、経路１３０に沿った更なる又は変更されたクリップ及び整合の要求とを終了する（ステップ６８）。最終的に、ユーザは、自身の最終選択及び命令を経路１３０でサービス提供者へ送信する（ステップ７０）。その場合に、サービス提供者は、経路１４０に沿って、経路１４０からの予備的メッセージ３４に経路１４４からの選択されたクリップを結合するよう結合機関１４２の動作を達成して（ステップ７２）、ＭＭＳメッセージ１０を形成する。次に、ＭＭＳメッセージ１０は、経路１４６に沿って、受信者のＭＭＳ通信装置３６へ送信される。
【００３７】
図２を参照して記載された様々な経路及び要素は、当該分野において通常の知識を有する者によって選択された如何なる都合の良い形をとっても良く、これらの経路及び要素の、（必ずしも構造に限らず）機能が最も重要である。
【００３８】
上記は、本発明を図示及び記載されたその正確な形に限定しない。更に、本発明の属する技術的分野において通常の知識を有する者には明らかなように、上述された（本発明の均等とみなされる）本発明の変形及び変更は、本発明の技術的範囲を逸脱することなく達成され得る。このような変形及び変更は、特許請求の範囲によって表される範囲内にある。
【図面の簡単な説明】
【００３９】
【図１】本発明の原理に従って予備的メッセージの受信に応答して映像メッセージを合成する方法を実行する一般化されたフローチャートである。
【図２】図１によって表された方法を実行するシステムの一般化された配置図である。
【図１】
2008523759.tif 000003
【図２】
2008523759.tif 000004
【国際調査報告】
2008523759.tif 000005
2008523759.tif 000006
2008523759.tif 000007